(57)【要約】【課題】室外から室内に向かう熱を蓄熱し、その熱を有効に活用することができる窓構造を提供する。【解決手段】窓構造１は、室内と室外とを連通する開口部５１が形成された壁部５と、開口部５１を覆うように、壁部５に取付けられた窓部２と、室内側において、窓部２を覆うことが自在であり、壁部５に取付けられたカーテン（遮蔽部材）３を備えている。カーテン３は、窓部２との間に隙間Ｓが形成されるように窓部２を覆った状態で、窓部２を介して室外から室内に向かう熱を遮るものである。カーテン３は、少なくとも室内に向かう熱を蓄熱する潜熱蓄熱材３３を備えている。【選択図】図４
2019035204.tif 000002
【特許請求の範囲】
【請求項１】
室内と室外とを連通する開口部が形成された壁部と、
前記開口部を覆うように、前記壁部に取付けられた窓部と、
前記室内側において、前記窓部を覆うことが自在であり、前記壁部に取付けられ、前記窓部との間に隙間が形成されるように前記窓部を覆った状態で、前記窓部を介して前記室外から前記室内に向かう熱を遮る遮蔽部材と、を備えた窓構造であって、
前記遮蔽部材は、少なくとも前記室内に向かう熱を蓄熱する潜熱蓄熱材を備えることを特徴とする窓構造。
【請求項２】
前記潜熱蓄熱材は、前記遮蔽部材が前記窓部を覆った状態で、前記窓部の下部に対向する位置に、配置されていることを特徴とする請求項１に記載の窓構造。
【請求項３】
前記遮蔽部材は、水平方向に沿って延在し、上下方向に連結された複数の遮蔽片を備えており、
前記遮蔽部材が前記窓部を覆った状態で、前記複数の遮蔽片が、上下方向に配列され、かつ、
前記遮蔽部材が前記窓部の周りに収納された状態で、前記複数の遮蔽片が、前記窓部よりも下方の位置で重なるように、前記遮蔽部材は、前記壁部に取付けられていることを特徴とする請求項１または２に記載の窓構造。
【発明の詳細な説明】
【技術分野】
【０００１】
本発明は、壁部に窓部が取付けられた窓構造に関する。
【背景技術】
【０００２】
従来から、住宅等の建物において、室内暖房時に発生する熱エネルギーや、日射光などの自然エネルギーをより有効に活用するような研究・開発が盛んに取り組まれており、これらの研究・開発に基づいた省エネおよびエコ対策が講じられている。
【０００３】
このような点を鑑みて、近年、蓄熱材として、融点（相変化温度）以上の温度で蓄熱することができる潜熱蓄熱材が注目されている。この潜熱蓄熱材を利用して、太陽熱等の自然エネルギー、または、生活において発生する熱エネルギー等を潜熱蓄熱材に蓄熱し、外気温の変動に対して吸熱・放熱を行うことで室内の温度変化を極力少なくしようという提案や試みがなされている。
【０００４】
このような潜熱蓄熱材を備えた建屋の構造として、たとえば、特許文献１には、窓カウンターを備えた窓構造が提案されている。この窓構造では、たとえば、窓の室内側に備えられる、太陽熱を受ける窓カウンターとして、潜熱蓄熱材を備えた蓄熱カウンターが使用されている。これにより、蓄熱カウンターの潜熱蓄熱材で太陽熱を蓄熱し、たとえば夜間などに蓄熱した熱を潜熱蓄熱材から放熱することによって、窓からのコールドドラフトを軽減させることができる。
【先行技術文献】
【特許文献】
【０００５】
【特許文献１】特許第３９１３５９１号公報
【発明の概要】
【発明が解決しようとする課題】
【０００６】
しかしながら、特許文献１に記載の蓄熱カウンターは、窓の下縁部に備えられるため、日射により窓の下縁部周辺に発生する熱を蓄熱できたとしても、室外から直接的に室内に向かう熱を効果的に蓄熱することができない。
【０００７】
本発明は、このような点を鑑みて成されたものであり、その目的とするところは、室外から室内に向かう熱を蓄熱し、その熱を有効に活用することができる窓構造を提供することにある。
【課題を解決するための手段】
【０００８】
発明者らは、鋭意検討を重ねた結果、窓部を介して室外からの熱が室内に向かう室内側の位置に隙間を設けて、この隙間を断熱空間として機能させ、断熱空間内の熱を潜熱蓄熱材で蓄熱すれば、室内へ向かう熱をより効率的に蓄熱することができると考えた。
【０００９】
本発明は、このような考えに基づくものであり、本発明の窓構造は、室内と室外とを連通する開口部が形成された壁部と、前記開口部を覆うように、前記壁部に取付けられた窓部と、前記室内側において、前記窓部を覆うことが自在であり、前記壁部に取付けられ、前記窓部との間に隙間が形成されるように前記窓部を覆った状態で、前記窓部を介して前記室外から前記室内に向かう熱を遮る遮蔽部材と、を備えた窓構造であって、前記遮蔽部材は、少なくとも前記室内に向かう熱を蓄熱する潜熱蓄熱材を備えることを特徴とする。
【００１０】
本発明によれば、遮蔽部材が窓部を覆った状態で、遮蔽部材と窓部との間に形成される隙間が、断熱空間となって、室外から室内に向かう熱を遮ることができる。この断熱空間内の熱を、遮蔽部材に取付けられた潜熱蓄熱材に蓄熱することができる。この結果、窓部を介して室外からの熱が、室内に直接的に伝わり難いため、室内の温度が急激に上昇することを抑えることができる。一方、夜間などには、潜熱蓄熱材に蓄熱された熱を、室内に放熱することができるため、室内の急激な温度低下を抑えることができる。
【００１１】
また、本発明のより好ましい態様としては、前記潜熱蓄熱材は、前記遮蔽部材が前記窓部を覆った状態で、前記窓部の下部に対向する位置に、配置されている。
【００１２】
この態様によれば、遮蔽部材が窓部を覆った状態で、窓部の下部に対向する位置には、窓部を介して日光が照射され易い。このため、この位置に潜熱蓄熱材を配置することにより、日光の照射（日射）により発生する熱を、潜熱蓄熱材に効率的に蓄熱することができる。一方、この蓄熱された熱が、夜間などには、上述の位置に配置された潜熱蓄熱材から放熱されるため、室外から窓部を介して室内の下方に冷気が向かうことを低減することができる。
【００１３】
また、本発明のさらに好ましい態様としては、前記遮蔽部材は、水平方向に沿って延在し、上下方向に連結された複数の遮蔽片を備えており、前記遮蔽部材が前記窓部を覆った状態で、前記複数の遮蔽片が、上下方向に配列され、かつ、前記遮蔽部材が前記窓部の周りに収納された状態で、前記複数の遮蔽片が、前記窓部よりも下方の位置で重なるように、前記遮蔽部材は、前記壁部に取付けられている。
【００１４】
この態様によれば、遮蔽部材が窓部を覆った状態では、上下方向に配列された複数の遮蔽片により、室外から室内に向かう熱を遮り、遮った熱を潜熱蓄熱材に蓄熱することができる。一方、遮蔽部材が窓部の周りに収納された状態では、複数の遮蔽片が、窓部よりも下方の位置で重なる。これにより、夜間などには、この潜熱蓄熱材に蓄熱された熱が放熱されるため、室外から窓部を介して室内の下方に冷気が向かうことを低減することができる。
【発明の効果】
【００１５】
本発明によれば、室外から室内に向かう熱を蓄熱し、その熱を有効に活用することができる。
【図面の簡単な説明】
【００１６】
【図１】第１実施形態に係る窓構造の遮蔽部材が窓部を覆った状態を示した模式的斜視図である。
【図２】図１に示す窓構造の遮蔽部材が開いている状態を示した模式的斜視図である。
【図３】図１に示す窓構造のＡ−Ａ線矢視端面図である。
【図４】図１に示す窓構造のＢ−Ｂ線矢視端面図である。
【図５】第１実施形態の変形例を、遮蔽部材が窓部を覆った状態で示した模式的斜視図である。
【図６】図５に示す窓構造のＣ−Ｃ線矢視端面図である。
【図７】第２実施形態に係る窓構造の遮蔽部材が窓部を覆った状態を示した模式的斜視図である。
【図８】図７に示す窓構造の遮蔽部材が窓部の周りに収納されている状態を示した模式的斜視図である。
【図９】図７に示す窓構造のＤ−Ｄ線矢視端面図である。
【図１０】図８に示す窓構造のＥ−Ｅ線矢視端面図である。
【発明を実施するための形態】
【００１７】
以下、図面を参照して、本発明の実施形態について説明する。
＜第一実施形態＞
図１は、第１実施形態に係る窓構造１の遮蔽部材に相当するカーテン３が窓部２を覆った状態を示した模式的斜視図であり、図２は、図１に示す窓構造１のカーテン３が開いている状態を示した模式的斜視図である。また、図３および図４は、それぞれ、図１に示す窓構造１のＡ−Ａ線矢視端面図およびＢ−Ｂ線矢視端面図である。
【００１８】
１．窓構造１について
図１〜４に示すように、本実施形態に係る窓構造１は、ベランダなどに繋がり、屋外に出入りする窓構造であるが、たとえば、出窓を備えた窓構造であってもよい。窓構造１は、図２に示すように、屋内と屋外を仕切る壁部５と、壁部５に取付けられた窓部２と、窓部２を覆う２つのカーテン（遮蔽部材）３と、を少なくとも備えている。なお、本実施形態では、窓構造１は、カーテン２を２つ備えているが、その個数は特に限定されるものではない。以下に、各部材の詳細を説明する。
【００１９】
図１および図２に示すように、壁部５は、窓部２を支持し、室内と室外を区切る機能を有するものである。壁部５には、室内と室外を連通する開口部５１が形成されており、この開口部５１を覆うように、窓部２が取り付けられている。また、本実施形態では、壁部５の室内側の表面には、カーテン３を壁部５に取り付けるカーテンレール６が、窓部２の上縁部近傍に設けられている。
【００２０】
図２に示すように、窓部２は、開口部５１を覆うように、壁部５に取付けられており、室内に採光を確保しつつ、窓部２の開閉により室内の換気を行う機能を有するものである。本実施形態では、窓部２は、相対的にスライド自在に、配置された２つの窓部本体２０、２０と、各窓部本体２０をスライドさせるガイドレール（桟）２３等を備えている。
【００２１】
各窓部本体２０は、日光を透過するガラス板（透光部）２１と、ガラス板２１の周縁を囲繞し、ガラス板２１を支持する窓枠２２と、を備えている。さらに、２つの窓部本体２０、２０には、これらの相互のスライドを拘束するロック機構２４が設けられている。
【００２２】
なお、本実施形態では、窓部２は、開口部５１から光や外気を室内へ取り入れることを前提に、壁部５に比べて、室外の熱が室内に取り込み易い構造であれば、たとえば出窓のような構造であってもよく、その構造は、上述の構造に限定されるものではない。
【００２３】
カーテン３は、窓部２との間に隙間Ｓを形成することにより、窓部２を介して室外から室内に向かう熱を遮る機能を有するものである。カーテン３は、必要に応じて、この熱を遮断する機能に加えて、日光を遮光する機能を含んでもよい。本実施形態では、カーテン３は、室内側において、窓部２を覆うことが自在であり、壁部５に取付けられている。カーテン３は、窓部２との間に隙間Ｓが形成されるように窓部２を覆った状態で、窓部２を介して室外から室内に向かう熱を遮るように配置されている。
【００２４】
図３に示すように、本実施形態では、各カーテン３は、カーテン本体３１を備えており、各カーテン本体３１の窓部側の表面には、水平方向に隙間をあけて配列された複数の収納袋部３２が設けられている。
【００２５】
図４に示すように、各カーテン本体３１は、カーテンレール６を介して壁部５に吊下げられており（支持されており）、カーテンレール６に沿って、スライド自在となっている。カーテン本体３１の大きさは、窓部２を全体的に覆うことができる大きさであれば特に限定されない。カーテン本体３１の材料としては、窓部２との間に隙間Ｓが形成されるように窓部２を覆った状態で、窓部２を介して室外から室内に向かう熱を遮り、室内に蓄熱した熱を放熱できるものであればよく、その材料は特に限定されない。たとえば、カーテン本体３１の材料としては、織布または樹脂シートなどが挙げることができる。
【００２６】
収納袋部３２は、カーテン本体３１に取付けられて、潜熱蓄熱材３３を収納するものである。収納袋部３２は、カーテン本体３１に、その上部を除いて固着されて、カーテン本体３１の上側に潜熱蓄熱材３３を挿入する開口を形成し、この開口から下方に沿って延在した、潜熱蓄熱材３３を収納する袋状の部分である。たとえば、収納袋部３２は、カーテン本体３１に、糸などで縫合したり、接着剤などを介して貼着したりして形成することができる。
【００２７】
本実施形態では、複数の収納袋部３２、３２、…を、カーテン本体３１の窓部側の表面に、水平方向に隙間をあけて配列したので、複数の収納袋部３２，３２…に潜熱蓄熱材３３を挿入することにより、窓部２を全体的に領域を覆うように潜熱蓄熱材３３を配置することができる。
【００２８】
なお、収納袋部３２の形状、個数、配列は、後述する潜熱蓄熱材３３の形状、個数、配列に対応し、各潜熱蓄熱材３３を収納することができれば、特に限定されない。収納袋部３２の材料としては、潜熱蓄熱材３３の蓄熱性を妨げないものであればよく、その材料は特に限定されない。具体的には、上述した織布または樹脂シートなどを挙げることができ、カーテン本体３１の材料と同じ材料であってもよい。また、日射により入熱される熱に対する潜熱蓄熱材３３の蓄熱性の向上を考慮すると、収納袋部３２は黒色であってもよい。
【００２９】
潜熱蓄熱材３３は、窓部２を介して室外から室内に向かう熱を蓄熱するものである。本実施形態では、潜熱蓄熱材３３は、カーテン本体３１の窓部側において、各収納袋部３２に収納された状態で、窓部２を全体的に覆うように、間隔を開けて水平方向に配列されている（たとえば図１および図３参照）。本実施形態では、窓部２の高さとほぼ等しい長さを有する帯状の潜熱蓄熱材３３が、水平方向に複数個配列している。なお、窓部２を全体的に覆いながら、室外から室内に向かう熱を蓄熱できるものであれば、潜熱蓄熱材３３の配列、個数、および形状は特に限定されるものではない。
【００３０】
潜熱蓄熱材３３は、日射光により付与される日射熱で固相から液相に相変化するものであり、好ましくは相変化温度１８℃〜３０℃の範囲にあるものである。具体的には、硫酸ナトリウム水和物、塩化カルシウム水和物、パラフィン（たとえばＣ１８Ｈ３８）、ポリエチレングリコール（分子量５００〜１０００）などを挙げることができる。なお、この相変化温度以上において蓄熱することができるものであれば、その材料は特に限定されるものではない。本実施形態では、液相状態の場合に収納袋部３２から液漏れ防止のために、たとえばＡＢＳ樹脂、ポリプロピレン樹脂、ナイロン樹脂、またはＰＥＴ樹脂などを含む材料であって、液相の潜熱蓄熱材３３に対して非透過性を有した袋体または容器の内部に、潜熱蓄熱材３３を封入して使用してよい。ここで、袋体は、潜熱蓄熱材を封入可能に、可撓性を有した樹脂フィルムで構成されたものであり、容器は、潜熱蓄熱材を封入可能に、樹脂を成形したものである。
【００３１】
ここで、１つの収納袋部３２に対して、潜熱蓄熱材３３が、上下方向に沿って形成された長尺状の１つの袋体または容器に、封入されていてもよいが、たとえば、上下方向に複数に分割された袋体または容器に、異なる相変化温度の潜熱蓄熱材３３が封止されていてもよい。たとえば、上側の袋体または容器に収納された潜熱蓄熱材の相変化温度が、下側の袋体または容器に収納された潜熱蓄熱材の相変化温度よりも高い場合には、室内の天井側に溜った熱を、効率的に蓄熱することができる。
【００３２】
また、潜熱蓄熱材３３に、相変化温度以上でゲル状となる潜熱蓄熱材を用いてもよい。相変化温度以上で固形状からゲル状となるので、相変化温度以上になったとしても潜熱蓄熱材３３の形状を容易に保持することができる。このような潜熱蓄熱材としてはたとえば、ＪＳＲ（株）製のカルグリップ、または、三木理研工業（株）製の高粘度カプセル、三菱電線工業（株）製の潜熱蓄熱材ＭＨＳＲシリーズなどを挙げることができる。
【００３３】
この他にも、相変化温度以上でゲル状となる潜熱蓄熱材３３として、潜熱蓄熱材に熱可塑性樹脂（熱可塑性エラストマー）とを、混合したものであってもよい。熱可塑性樹脂（熱可塑性エラストマー）は、混合物からの潜熱蓄熱材の漏洩を抑制する目的で添加されるものであり、潜熱蓄熱材の相変化温度よりも高い温度で軟化し、後述する熱圧成形時の加熱温度よりも低い軟化点を有しているものを用いる。熱可塑性エラストマーとは、常温では加硫ゴムと同様な性質を持ち弾性があり、高温では軟化、流動する性質を有する高分子材料である。熱可塑性エラストマーは、分子中に弾性を持つゴム成分（ソフトセグメント）と塑性変形を防止するための分子拘束成分（ハードセグメント）とを併せ持ちゴムとプラスチックの中間の性質を持つ。
【００３４】
熱可塑性エラストマーとしては、例えば、ＪＩＳ  Ｋ６４１８に規定されるアミド系熱可塑性エラストマー（ＴＰＡ）、エステル系熱可塑性エラストマー（ＴＰＣ）、オレフィン系熱可塑性エラストマー（ＴＰＯ）、スチレン系熱可塑性エラストマー（ＴＰＳ）、ウレタン系熱可塑性エラストマー（ＴＰＵ）、熱可塑性ゴム架橋体（ＴＰＶ）、その他の熱可塑性エラストマー（ＴＰＺ）からなる群から選択される１種以上が挙げられ、特に好ましくは、オレフィン系熱可塑性エラストマー及びスチレン系熱可塑性エラストマーから選択される少なくとも１種であり、特に好ましくは、スチレン系熱可塑性エラストマーから選ばれる少なくとも１種であり、最も好ましくは、水素添加スチレン系熱可塑性エラストマーから選ばれる少なくとも１種である。複数種の異なる熱可塑性エラストマーの混合物を用いてもよい。
【００３５】
また、木質繊維または木質片を集積した木質ボード、石膏ボードなどの無機ボードなどの多孔質材に、潜熱蓄熱材３３を含浸したもの（以下、「潜熱蓄熱材含浸多孔質材」）、潜熱蓄熱材３３を内包するマイクロカプセルを含む樹脂板（以下、「マイクロカプセル含有樹脂板」）、および該マイクロカプセルを含浸した不織布（以下、「マイクロカプセル含浸不織布」を用いてもよい。
【００３６】
２．カーテン３の開閉状態および効果
本実施形態では、潜熱蓄熱材３３を収納袋部３２に挿入して作製されたカーテン３、３を、カーテンレール６を介して壁部５に取り付ける。これにより、窓部２の室内側に設けられ、カーテンレール６に沿って水平方向にスライド自在なカーテン３を備えた窓構造１が得られる。
【００３７】
このような窓構造１は、カーテン３が窓部２を覆うように水平方向に移動することにより、カーテンが閉まった状態になる（図１参照）。一方、カーテン３が室内から窓部２を露出するように水平方向に移動することにより、カーテン３が開いた状態になる（図２参照）。
【００３８】
図３および図４に示すように、カーテンが閉まった状態（カーテン３が窓部２を覆った状態）の場合、カーテン３と窓部２との間に形成される隙間Ｓが、断熱空間となって、室外から室内に向かう熱を遮ることができる。カーテン３の窓部２側の表面には、複数の潜熱蓄熱材３３が、窓部２（ガラス板２１）の室内側の表面を対向するように全体的に配列されるため、隙間Ｓ（断熱空間）内の熱を、カーテン３に取付けられた潜熱蓄熱材３３に蓄熱することができる。
【００３９】
この結果、窓部２を介して室外からの熱が、室内に直接的に伝わり難いため、室内の温度が急激に上昇することを抑えることができる。一方、夜間などには、潜熱蓄熱材３３に蓄熱された熱を、室内に放熱することができるため、室内の急激な温度低下を抑えることができる。
【００４０】
さらに、高気密高断熱住宅では、窓部２を介して室内に照射される日光を、カーテン３で遮り、カーテン３と窓部２との間に形成される隙間Ｓにおいて、日光の照射（日射）により発生する熱を、潜熱蓄熱材３３で蓄熱することができる。これにより、室内に照射される日光により、室内の温度が急激に上昇することを抑えることができる。このことは、熱の逃げ場がほとんどないため室内がオーバーヒートしやすい高気密高断熱住宅にとって有益である。
【００４１】
なお、窓構造１が、高気密高断熱住宅用の構造体である場合には、高気密高断熱住宅の外皮平均熱貫流率（ＵＡ値）が０．６ｋＷ／ｍ２・Ｋ以下の範囲を満たすことが好ましい。より好ましくは、高気密高断熱住宅の外皮平均熱貫流率（ＵＡ値）は、０．５ｋＷ／ｍ２・Ｋ以下の範囲であり、さらに好ましくは、０．４ｋＷ／ｍ２・Ｋ以下の範囲である。
【００４２】
ここで、外皮平均熱貫流率は、建物内外温度差を１℃としたときに、建物内部から外界へ逃げる単位時間あたりの熱量（換気による熱損失を除く）を、外皮面積の合計で除した値であり、この値が、小さいほど、高気密高断熱に優れた住宅である。なお、本実施形態では、外皮とは、建物外部に相当する建物の外壁、屋根、床下、ドア、および窓等である。
【００４３】
なお、潜熱蓄熱材３３が漏洩しないのであれば、収納袋部３２を省略し、接着剤を介してこれをカーテン本体３１に直接貼着してもよい。このような潜熱蓄熱材３３としては、上述した、ゲル状の潜熱蓄熱材、潜熱蓄熱材含浸多孔質材、マイクロカプセル含有樹脂板、またはマイクロカプセル含浸不織布などを挙げることができる。
【００４４】
この他にも、たとえば、潜熱蓄熱材含浸多孔質材、マイクロカプセル含有樹脂板、およびマイクロカプセル含浸不織布を、カーテン本体３１を構成する材料として使用してもよい。
【００４５】
＜第１実施形態の変形例＞
図５は、第１実施形態の変形例を、カーテン（遮蔽部材）３が窓部２を覆った状態で示した模式的斜視図である。図６は、図５に示す窓構造１のＣ−Ｃ線矢視端面図である。
図５および図６に示すように、本変形例に係る窓構造１が上述した実施形態のものと相違する点は、カーテン３が窓部２を覆った状態で、潜熱蓄熱材３３が窓部２の下部に対向する位置に配置されている点である。よって、以下に相違点について説明し、上述した実施形態と同じ部材および部分に関しては、同じ符号を付してその詳細な説明は省略する。
【００４６】
図６に示すように、カーテン３が窓部２を覆った状態で、窓部２の下部に対向する位置には、窓部２（ガラス板２１）を介して日光が照射され易い。特に、冬場は太陽高度が低いため、日光が室内の奥まで照射されやすく、窓部２の下部に対向する位置への日光の照射が顕著になる。
【００４７】
そこで、本変形例では、カーテン３の窓部２側の表面には、複数の収納袋部３２に収納された複数の潜熱蓄熱材３３が、窓部２の下部に対向する位置に、隙間を有して配列されている。ここで、窓部２の下部とは、窓部２（具体的にはガラス板２１）の室内側の表面における高さの半分以下を占める領域である。
【００４８】
本変形例によれば、上記実施形態と同様に、断熱空間となる隙間Ｓ内の熱を潜熱蓄熱材３３により蓄熱あるいは放熱できるため、急激な温度の上昇および下降を防止できる。これに加え、本変形例では、窓部２の下部に対向する位置に潜熱蓄熱材３３を配置することにより、日光の照射（日射）により発生する熱を、潜熱蓄熱材３３に効率的に蓄熱することができる。一方、この蓄熱された熱が、夜間などには、上述の位置に配置された潜熱蓄熱材３３から放熱されるため、室外から窓部２を介して室内の下方に冷気が向かうことを低減することができる。
【００４９】
なお、潜熱蓄熱材３３により室内に照射される日光が遮断される場合、潜熱蓄熱材３３が配置されていないカーテン本体３１の領域が光を透過できる材料で構成されると、室内へ採光をしながら、潜熱蓄熱材３３によって蓄熱することができる。
【００５０】
＜第２実施形態＞
図７は、第２実施形態に係る窓構造１Ａの遮蔽部材３Ａが窓部２Ａを覆った状態を示した模式的斜視図である。図８は、図７に示す窓構造１Ａの遮蔽部材３Ａが窓部２Ａの周りに収納されている状態を示した模式的斜視図である。図９および図１０は、それぞれ、図７の窓構造１ＡのＤ−Ｄ線矢視端面図および図８の窓構造１ＡのＥ−Ｅ線矢視端面図である。なお、図７〜図１０において、第１実施形態と同様の機能を有する部材の符号の末尾にはアルファベット「Ａ」を付した。
【００５１】
第２実施形態に係る窓構造１Ａが第１実施形態のものと相違する点は、カーテン３Ａの形状、開閉方向、収納位置である。よって、以下に相違点を主に説明し、その他の詳細な説明は省略する。
【００５２】
３．窓構造１Ａについて
図７および図９に示すように、本実施形態のカーテン３Ａ（遮蔽部材）は、後述する巻取装置８を介して、壁部５Ａに取付けられており、長尺状の複数（具体的には６つ）の遮蔽片３ａ、３ｂを備えている。遮蔽片３ａ，３ｂは、それぞれ水平方向に沿って延在し、上下方向に隣接した遮蔽片同士は、可撓性を有した連結材３４を介して連結されて、１枚の簾状のカーテンとなっている。
【００５３】
カーテン３Ａが窓部２Ａを覆った第１状態では、カーテン３Ａと窓部２Ａとの間に隙間Ｓが形成され、複数の遮蔽片３ａ、３ｂは、上下方向に配列（並設）される。一方、図８および図１０に示すように、カーテン３Ａが窓部２Ａの周りに収納された第２状態では、複数の遮蔽片３ａ、３ｂが、窓部２Ａよりも下方の位置で重なっている。このような２つの状態となるように、カーテン３Ａは、壁部５Ａに取付けられている。
【００５４】
本実施形態では、複数の遮蔽片３ａ、３ｂのうち、カーテン３Ａの上半分に位置する遮蔽片３ａは、潜熱蓄熱材を備えておらず、その下半分に位置する遮蔽片３ｂは、潜熱蓄熱材３３Ａを備えている。このようなカーテン３Ａを壁部５Ａに取り付けて、カーテン３Ａが窓部２Ａを覆った第１状態で、潜熱蓄熱材３３Ａを備えた遮蔽片３ｂが、窓部２Ａの下部に対向する位置に配列されている。一方、第１状態で、それ以外の位置には（すなわち、窓部２Ａの上部に対向する位置には）、潜熱蓄熱材３３Ａを備えていない遮蔽片３ａが配列されている。
【００５５】
このような配列により、第１実施形態の変形例で説明したように、カーテン３Ａが窓部２Ａを覆った状態では、窓部２Ａの下部に対向する位置に、遮蔽片３ｂの潜熱蓄熱材３３Ａが配置される。これにより、日光の照射により発生する熱を、潜熱蓄熱材３３Ａに効率的に蓄熱することができる。
【００５６】
本実施形態では、遮蔽片３ｂは、金属または樹脂ならなる板状の容体の内部に、潜熱蓄熱材３３Ａを密封して構成されている。この他にも、遮蔽片３ｂは、たとえば、上述した潜熱蓄熱材含浸多孔質材、マイクロカプセル含有樹脂板、またはマイクロカプセル含浸不織布であってもよい。
【００５７】
遮蔽片３ａは、窓部２Ａを介して室外から室内に向かう熱を遮る機能を少なくとも有する材料で構成されていればよく、たとえば、樹脂片、木片、または金属片など、その材料は、特に限定されない。
【００５８】
さらに、窓構造１Ａが、カーテン３Ａが窓部２Ａを覆った第１状態と、カーテン３Ａが窓部２Ａの周りに収納された第２状態と、の２つの状態を、自在に確保可能なように、さらに、以下の構造が採用されている。
【００５９】
まず、これらの状態を達成すべく、本実施形態の窓構造１Ａには、窓部２Ａの上縁部近傍の壁部５Ａには、カーテン３Ａを上下に開閉する巻取装置８が、取付けられている。窓部２の周辺の壁部５Ａには、巻取装置８を駆動するためのスイッチ９が配置されている。巻取装置８は、後述する巻取用紐８１の巻き取り・巻き解しが可能なように、スイッチ９に連動して、正転または逆転する駆動するモータ（図示せず）と、モータに連結された巻取ドラム（図示せず）等を備えている。
【００６０】
図８および図１０に示すように、巻取装置８は、巻取用紐８１を介してカーテン３Ａに接続されている。具体的には、巻取用紐８１の一端は、カーテン３Ａの最上部の遮蔽片３ａに取り付けられ、その他端は、巻取用紐８１が巻取り・巻き解しが自在なように、巻取装置８に取り付けられている。
【００６１】
これにより、巻取装置８に巻取用紐８１が巻き取られた状態では、連結材３４により連結された遮蔽片３ａ、３ｂが持ち上げられ、カーテン３Ａが簾状に垂下し、カーテン３Ａは第１状態になる。第１状態から、巻取用紐８１を巻き解いた状態で、上下に隣接する遮蔽片３ａ、３ｂが重なり合い、カーテン３Ａが折り畳まれて、カーテン３Ａは、第２状態になる。
【００６２】
さらに、第２状態をより好適に達成すべく、本実施形態の窓構造１Ａには、収納凹部７１が形成されたカウンター７が、出窓に相当する窓部２の下縁部近傍に、配置されている。具体的には、カウンター７は、木材、樹脂材等により形成され、収納凹部７１は、カウンター７の上面に形成されている。収納凹部７１には、収納凹部７１の深さが、室内側に向かうに従って大きくなるように傾斜した傾斜底面７２が形成されている。
【００６３】
本実施形態では、カウンター７に収納凹部７１を形成したことにより、収納凹部７１に折り畳まれたカーテン３Ａを収納することができる。さらに、収納凹部７１に、傾斜底面７２を設けたことにより、第１状態から、巻取用紐８１を巻き解き始める際に、まず、最下部の遮蔽片３ｂが、傾斜底面７２に沿って案内される。さらに、巻取用紐８１を巻き解くに従って、それよりも上に位置する遮蔽片３ｂ，３ａが順次重なるように、収納凹部７１内に案内される。この結果、収納凹部７１内にカーテン３Ａを支障無く折り畳むことができるとともに、これを収納凹部７１に収納することができる。
【００６４】
４．カーテン３Ａの開閉状態および効果
このような窓構造１Ａは、折り畳まれたカーテン３Ａが収納凹部７１に収納されている第２状態で、スイッチ９を操作して、巻取装置８が巻取用紐８１を巻き取り始める。この際、最上部の遮蔽片３ａから最下部の遮蔽片３ｂまでが順に収納凹部７１から引き上げられる。このようにして、下から上に向かってカーテン３Ａが窓部２Ａを覆った第１状態、すなわち、カーテン３Ａが閉まった状態となる。
【００６５】
第１状態では、カーテン３Ａと窓部２Ａとの間の隙間Ｓが形成され、断熱空間となる（図７および図９等参照）。本実施形態によれば、カーテン３Ａが窓部２Ａを覆った状態では、上下方向に配列された複数の遮蔽片３ａ、３ｂにより、第１実施形態と同様に、室外から室内に向かう熱を遮り、断熱空間（隙間Ｓ）内の熱を遮蔽片３ｂに配置された潜熱蓄熱材３３Ａに蓄熱することができる。一方、夜間などにはその熱を放熱できるため、急激な温度上昇および下降を防止できる。
【００６６】
また、窓部２Ａの下部に対向する位置に配置されている遮蔽片３ｂに潜熱蓄熱材３３Ａを設けているため、第１実施形態の変形例と同様に日射より発生する熱を効率的に蓄熱できる。一方、窓部２Ａの下部に対向する位置から蓄熱した熱が放熱されるため、室外から窓部を介して室内の下方に冷気が向かうことを低減することができる。
【００６７】
カーテン３Ａを開ける場合、スイッチ９を介して巻取装置８が巻取用紐８１を巻き解し始めると、カーテン３Ａが鉛直方向に沿って徐々に下降していく。上述したように、傾斜底面７２に、まず最下部の遮蔽片３ｂが案内され、最下部の遮蔽片３ｂの次の遮蔽片３ｂから最上部の遮蔽片３ａまで順次に重なり、カーテン３Ａが折り畳まれる。これにより、収納凹部７１にカーテン３Ａが収納されながら、窓部２Ａが室内から露出された状態となる（図８および図１０等参照）。
【００６８】
このようにして、本実施形態によれば、カーテン３Ａが収納凹部７１に収納された第２の状態では、複数の遮蔽片３ａ、３ｂが、窓部２Ａよりも下方の位置で重なって配置される（図１０等参照）。これにより、夜間などには、この潜熱蓄熱材３３Ａに蓄熱された熱が上方に向かって放熱されて、暖気が発生するため、室外から窓部２Ａを介して室内の下方に冷気が向かうことを低減することができる。
【００６９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。
【００７０】
たとえば、上述した第２実施形態では、窓部２Ａの下部に対向する位置に、潜熱蓄熱材３３Ａを備えた遮蔽片３ｂを配置したが、たとえば、潜熱蓄熱材３３Ａが窓部２Ａを全体的に覆うように、遮蔽片３ａを、潜熱蓄熱材を備えた遮蔽片３ｂにしてもよい。また、遮蔽片３ａと、遮蔽片３ｂとに、相変化の異なる潜熱蓄熱材を備えてもよい。この場合、遮蔽片３ａに含まれる潜熱蓄熱材の相変化温度が、遮蔽片３ｂに含まれる潜熱蓄熱材の相変化温度よりも高くてもよい。さらに、各遮蔽片３ａ（各遮蔽片３ａ）に、相変化の異なる潜熱蓄熱材を備えてもよい。
【００７１】
また、上述した第１および第２実施形態では、遮蔽部材としてカーテン３、３Ａを例にして説明したが、窓部を二重構造の外窓とし、遮蔽部材を二重構造の内窓とし、内窓に潜熱蓄熱材を備えてもよい。
【符号の説明】
【００７２】
１，１Ａ…窓構造、２，２Ａ…窓部、３，３Ａ…カーテン（遮蔽部材）、３ａ，３ｂ…遮蔽片、５，５Ａ…壁部、３３，３３Ａ…潜熱蓄熱材、５１…開口部、Ｓ…隙間
【図１】
2019035204.tif 000003
【図２】
2019035204.tif 000004
【図３】
2019035204.tif 000005
【図４】
2019035204.tif 000006
【図５】
2019035204.tif 000007
【図６】
2019035204.tif 000008
【図７】
2019035204.tif 000009
【図８】
2019035204.tif 000010
【図９】
2019035204.tif 000011
【図１０】
2019035204.tif 000012